(57)【要約】      （修正有）【課題】データ処理装置間のデータトラヒックのトランスペアレント伝送のための方法及びシステム、並びに当該のコンピュータプログラム製品及び当該のコンピュータ読み取り可能な記憶媒体を提供する。【解決手段】ホストコンピュータのネットワーク結合に第２のコンピュータシステム（前置コンピュータシステム）を導入し、データトラヒックのデータパケットをトランスペアレントに挿入、変更及び／又は除去するために使用する。その場合選択に応じて個々のパケット及び／又は接続もしくはすべてのパケット及び／又は接続を取り上げることができる。また、前置コンピュータが遠隔端末に対してホストコンピュータのアドレス特性を、及び／又はホストコンピュータに対して遠隔端末のアドレス特性をイミテートすることによって、ホストコンピュータと遠隔端末の間のデータトラヒックを中継する。【選択図】なし【特許請求の範囲】
【請求項１】
コンピュータネットワークにおいて、第１のデータ処理装置と第２のデータ処理又は通信装置（遠隔端末）との間のデータ伝送のための接続にコンピュータシステム（前置コンピュータ）を導入し、このコンピュータシステムが前記第１のデータ処理装置と前記遠隔端末の間のデータトラヒックを中継するデータ処理装置間のデータトラヒックのトランスペアレント伝送のための方法において、
前記前置コンピュータは、前記遠隔端末に対して前記第１のデータ処理装置のＭＡＣアドレス特性を、及び／又は前記第１のデータ処理装置に対して前記遠隔端末のＭＡＣアドレス特性を偽装することによって、前記導入された前置コンピュータと通信する、前記コンピュータネットワークにおける他の装置の再構成を不要とすることを特徴とする方法。
【請求項２】
前記前置コンピュータが実行するデータトラヒックの処理が
−データトラヒックの監視、
−ウイルスに対する防護及び／又は
−データ及び／又はデータパケットの変更、例えばエンコード及びデコード、データ及び／又はデータパケットの追加及び／又は除去
を含むことを特徴とする請求項１に記載の方法。
【請求項３】
前記前置コンピュータがトランスペアレント・ファイアウオール及び／又はトランスペアレント・プロクシシステムの機能を引き受けることを特徴とする請求項１又は２に記載の方法。
【請求項４】
前記前置コンピュータで実施される規制によって前記データトラヒックの中継処理が制御されることを特徴とする請求項１乃至３のいずれか１つに記載の方法。
【請求項５】
前記前置コンピュータが前記第１のデータ処理装置にアドレス指定された接続を受けることを特徴とする請求項１乃至４のいずれか１つに記載の方法。
【請求項６】
前記前置コンピュータが前記第１のデータ処理装置の代わりに、この第１のデータ処理装置のＭＡＣアドレス特性を偽装することによって、前記第１のデータ処理装置が提供しない又は全面的には提供しない機能を遂行することを特徴とする請求項１乃至５のいずれか１つに記載の方法。
【請求項７】
データ伝送のための接続として
−ケーブル接続
−無線接続及び／又は
−データ及び／又は通信ネット、例えばイントラ又はインターネット
を利用することを特徴とする請求項１乃至６のいずれか１つに記載の方法。
【請求項８】
コンピュータシステムが複数の第１のデータ処理装置のための前記前置コンピュータとして使用され、前記コンピュータシステムがそれぞれ接続される前記第１のデータ処理装置のＭＡＣアドレス特性を接続のつど偽装することによって、個々の第１のデータ処理装置の接続を処理することを特徴とする請求項１乃至７のいずれか１つに記載の方法。
【請求項９】
前記前置コンピュータが独自のアドレスを有し、このアドレスによって直接コンタクトすることができることを特徴とする請求項１乃至８のいずれか１つに記載の方法。
【請求項１０】
前記前置コンピュータが独自のアドレスによって操作及び／又は管理されることを特徴とする上記請求項８に記載の方法。
【請求項１１】
前記前置コンピュータが独自のアドレスを使用して、又は前記第１のデータ処理装置のアドレスを使用して、前記第１のデータ処理装置に関係なく自主的に接続を形成することを特徴とする請求項１乃至１０のいずれか１つに記載の方法。
【請求項１２】
前記前置コンピュータが単数又は複数の第１のデータ処理装置のＭＡＣアドレス特性を、中継されるデータから自動的に受け取り、又は所定のアドレスデータを前記単数又は複数の第１のデータ処理装置のＭＡＣアドレス特性の偽装のために使用することを特徴とする請求項１乃至１１のいずれか１つに記載の方法。
【請求項１３】
前記前置コンピュータが前記第１のデータ処理装置によって制御されることを特徴とする請求項１乃至１２のいずれか１つに記載の方法。
【請求項１４】
前記前置コンピュータの機能が前記第１のデータ処理装置の影響を受けないことを特徴とする請求項１乃至１２のいずれか１つに記載の方法。
【請求項１５】
前記第１のデータ処理装置が
−ＰＣ、
−ノートブックＰＣ、
−埋込みコンピュータシステム、又は
−ハンドヘルドＰＣ、例えばパームトップ又はパーソナル・デジタルアシスタント（ＰＤＡ）
として構成されていることを特徴とする請求項１乃至１４のいずれか１つに記載の方法。
【請求項１６】
前記遠隔端末が
−ＰＣ、
−ノートブックＰＣ、
−埋込みコンピュータシステム、  
−ハンドヘルドＰＣ、例えばパームトップ又はパーソナル・デジタルアシスタント（ＰＤＡ）、又は
−電話又は無線電話
として構成されていることを特徴とする請求項１乃至１５のいずれか１つに記載の方法。
【請求項１７】
データトラヒックのトランスペアレント伝送のための方法を実施することができ、その際伝送が請求項１乃至１６のいずれか１つに記載の方法を包含するように構成された少なくとも１個のチップ及び／又はプロセッサを有するシステム。
【請求項１８】
前記システムが
−ファイアウオール、又は
−トランスペアレント・プロクシシステム
として構成されていることを特徴とする請求項１７に記載のシステム。
【請求項１９】
前記システムが
−埋込みシステム、
−シングルボード・コンピュータ、又は
−システム・オン・チップ
として構成されていることを特徴とする請求項１７又は１８に記載のシステム。
【請求項２０】
前記システムが
−ネットワークマップ、
−エサーネット接続、
−モデム、又は
−データ伝送ケーブル
に組込まれていることを特徴とする請求項１７乃至１９のいずれか１つに記載のシステム。
【請求項２１】
前記システムが
−単数又は複数のエサーネット・インタフェース、
−単数又は複数の直列インタフェース、及び／又は
−単数又は複数のバスシステム、例えばＰＣＩ又はＰＣＭＣＩＡバス
を有することを特徴とする請求項１７乃至２０のいずれか１つに記載のシステム。
【請求項２２】
前記システムが独自のアドレスによりコンタクト可能であることを特徴とする請求項１７乃至２１のいずれか１つに記載のシステム。
【請求項２３】
コンピュータの記憶装置にロードされた後、データ処理装置間のデータトラヒックのトランスペアレント伝送方法をコンピュータに実行させ、その際伝送が請求項１乃至１６のいずれか１つに記載の方法を包含するコンピュータプログラム。
【請求項２４】
コンピュータの記憶装置にロードされた後、データ処理装置間のデータトラヒックのトランスペアレント伝送方法をコンピュータに実行させ、その際伝送が請求項１乃至１６のいずれか１つに記載の方法を包含するプログラムが記憶されたコンピュータ読み取り可能な記憶媒体。
【発明の詳細な説明】
【技術分野】
【０００１】
本発明はデータ処理装置間のデータトラヒックのトランスペアレント伝送のための方法及びシステム並びに当該のコンピュータプログラム製品及び当該のコンピュータ読み取り可能な記憶媒体に関する。このシステムは、第２のコンピュータシステム（前置コンピュータシステム）をホストコンピュータのネットワーク結合に挿入し、ネットトラヒックを本発明に基づき処理することによって、特にデータトラヒックのデータパケットをトランスペアレントに挿入、変更及び／又は除去するために使用することができる。その場合選択に応じて個々のパケット及び／又は接続もしくはすべてのパケット及び／又は接続を取り上げることができる。
【背景技術】
【０００２】
ネットワークに接続されるコンピュータシステムは、他の通信相手に対してアドレスによって識別される。インターネットに接続され、ＩＰ（インターネット・プロトコル）により他のコンピュータと通信するコンピュータシステムは、このためにＩＰアドレスを使用する。トランスポート媒体としてエサーネットを利用する場合は、エサーネットパケットのためにＭＡＣ（メディアアクセス制御）アドレスが利用され、例えばＷＬＡＮ（無線LAN）にも同じことが当てはまる。
【０００３】
さらに入及び出接続を明確に識別しなければならない。インターネット・プロトコルではこれが「ポート」番号で行われる。センダとレシーバの各々１対のアドレスとポートが接続を識別する。
【０００４】
アドレスデータ、例えばＭＡＣ及びＩＰアドレスは一部がハードウエアによって指定されており（例えばネットワーク・ハードウエアのＭＡＣアドレス）、又はコンピュータでセットしなければならないか、又はサーバのセッション開始時にコンピュータ自体によって呼び出される（例えばＩＰアドレスのためのＤＨＣＰ（＝Dynamic Host Configuration Protocol）。
【非特許文献１】E. Strother, "Denial of Service Protection The Nozzle", Computer  Security Applications, 2000. ACSAC '00. 16th Annual Conference, 11-15 Dec. 2000, pp.32-41
【特許文献１】特開２０００−３５４０３４号公報
【発明の開示】
【発明が解決しようとする課題】
【０００５】
当該の環境でのデータパケット及び／又は接続の取扱いは、ＯＳＩ層モデル（ＯＳＩ＝Open System Interconnection）の層２（データリンク層−防護層）及び層３（ネットワーク層−中継層）で説明される。データパケットと接続は物理媒体を介して伝送され、その際防護層に相当する媒体でデータトランスポートが行われる（例えばエサーネット配線でのエサーネット・フレーム）。その場合異なるコンピュータ間のデータ交換は、例えばＩＰパケットを使用して行われ、中継層で規制される。
【０００６】
層２：ブリッジ・アンド・スイッチ
データパケットが一方のコンピュータから他方のコンピュータへ送られる。その際データパケットのトランスポートが場合によっては層２のデバイスの影響を受ける。これは代表的にはブリッジ・アンド・スイッチである。これによって個々の回線へのデータパケットの配分が規制される。層２のデバイスはデータパケットをトランスポートするだけで、データパケットの変更は行わない。新しい独自のデータパケットは生成されない。
【０００７】
層２でのデータパケットのアドレス指定はトランスポート媒体に依存する。エサーネットではＭＡＣアドレスがアドレス指定のために使用される。有効負荷、例えばＩＰパケットがエサーネット・フレームに納められる。
【０００８】
層３：ルータ
ルータは層３のアドレス情報、例えばＩＰアドレスを評価する。このアドレスとルーティング情報に基づき、データパケットを他のルータ又は受端コンピュータに転送する。その場合介在する回線でデータトランスポートを実現するために、層２の新しいデータパケットが生成される。
【０００９】
大きなデータパケットが複数の小さなデータパケットに分解され、又は再び組み立てられるように（フラグメンテーション）、ルータでデータパケットを変更することができる。
【００１０】
ＮＡＴルータ
ルータは場合によってはＩＰ接続データ（アドレス及びポート）を変更して、コンピュータの本当の身元を隠すことができる。これは、ＮＡＴ（Network Adress Translation）技術で例えば少数のＩＰアドレスを隠すか又は内部ネットワーク構造を隠すために使用される。
【００１１】
ＶＰＮルータ
２つの隔たる部分ネットから１つのＶＰＮ（Virtual Private Network［仮想私設網］）を構成するときは、例えば不当な盗聴を防止するために、その間にあるトランスポート経路でデータパケットを変更する（コーディング）。受端に着信すると、データが再び元の形に戻される。トランスポートの際にデータは通常（ＥＳＰプロトコル、ＥＳＰ＝Encapsulating Security Payload［カプセル化セキュリティ・ペイロード］）両方のＶＰＮルータのアドレスで現れる。
【００１２】
プロクシ（Proxy）
プロクシは接続を受け、自ら新しい接続を形成する。この技術はしばしばファイアウオール又はＮＡＴルータで使用される。プロクシはデータストリームを全面的に規制する。「トランスペアレント・プロクシ」システムは周知である。この場合特殊なプロクシプロトコルを適用しないで、クライアントコンピュータに知られずに、データストリームをプロクシコンピュータでキャッチし、処理するならば、トランスペアレントということになる。
【００１３】
本発明の根底にあるのは、上記の欠点が取り除かれ、特にシステム管理の費用が減少される、データ処理装置間のデータトラヒックのトランスペアレント伝送のための方法及びシステム並びに当該のコンピュータプログラム製品及び当該のコンピュータ読み取り可能記憶媒体を提供する課題である。
【課題を解決するための手段】
【００１４】
この課題は、本発明に基づき上位概念の特徴に併せて請求項１、１７、２３及び２４の特徴開示部分の特徴によって解決される。本発明の好ましい実施態様が従属請求項に挙げられている。
【００１５】
データ処理装置間のデータトラヒックのトランスペアテント伝送のための方法の特別の利点は、この方法を使用すれば、第１のデータ処理装置と第２のデータ処理又は通信装置（遠隔端末）の間のデータ伝送のための接続にコンピュータシステム（前置コンピュータ）を導入することによって、データ処理装置自体がアシストしないサービスをトランスペアレントに実現できることである。上記のコンピュータシステムは遠隔端末に対して第１のデータ処理装置のアドレス特性を、及び／又は第１のデータ処理装置に対して遠隔端末のアドレス特性をイミテート（偽装）することによって、第１のデータ処理装置と遠隔端末の間のデータトラヒックを中継する。
【００１６】
データ処理装置間のデータトラヒックのトランスペアテント伝送のためのシステムは、データ処理装置間のデータトラヒックのトランスペアテント伝送方法を実行するのに適した少なくとも１個のチップ及び／又はプロセッサを具備するように構成することが好ましい。その場合伝送は請求項１から１６に記載の手順を包含する。
【００１７】
データ処理装置間のデータトラヒックのトランスペアレント伝送のためのコンピュータプログラム製品は、コンピュータの記憶装置にロードされた後に、データ処理装置間のデータトラヒックのトランスペアレント伝送方法をコンピュータに実行させるプログラムが記憶されたコンピュータ読み取り可能な記憶媒体を具備する。その場合伝送は請求項１から１６のいずれか１つに記載の手順を包含する。データ処理装置間のデータトラヒックのトランスペアレント伝送を実行するために、コンピュータの記憶装置にロードされた後に、データ処理装置間のデータトラヒックのトランスペアレント伝送方法をコンピュータに実行させるプログラムが記憶されたコンピュータ読み取り可能な記憶媒体を使用することが好ましい。その場合伝送は請求項１から１６のいずれか１つに記載の手順を包含する。
【発明を実施するための最良の形態】
【００１８】
本発明に基づく方法の好ましい実施形態では、データトラヒックの中継はデータトラヒックの監視、ウイルス防護及び／又はデータ及び／又はデータパケットの変更、例えばエンコード及びデコード、データ及び／又はデータパケットの追加及び／又は除去を包含する。前置コンピュータで実施される規制によりデータトラヒックの中継を制御することが好ましい。さらに前置コンピュータがトランスペアレント・ファイアウオール及び／又はトランスペアレント・プロクシシステムの機能を引き受けるならば好都合である。
【００１９】
本発明の別の好ましい実施形態では、前置コンピュータが第１のデータ処理装置に対してアドレス指定された接続を受けるように構成されている。特に前置コンピュータが第１のデータ処理装置の代わりに、この第１のデータ処理装置のアドレスをイミテートすることによって、第１のデータ処理装置が提供しない又は全面的には提供しない機能を遂行するならば好都合である。
【００２０】
また前置コンピュータが第１のデータ処理装置に関係なく自主的に接続を形成し、前置コンピュータが独自のアドレスを有し、このアドレスによって前置コンピュータに直接コンタクトできるならば好都合である。こうして例えば前置コンピュータを独自のアドレスによって操作及び／又は管理することが可能になる。その場合前置コンピュータの独自のアドレスを使用して、又は前置コンピュータが第１のデータ処理装置のアドレスを利用することによって、前置コンピュータの自主的な接続を形成することができる。
【００２１】
またコンピュータシステムが複数の第１のデータ処理装置のための前置コンピュータとして利用され、コンピュータシステムが接続のつど、それぞれ接続された第１のデータ処理装置のアドレスデータをイミテートすることによって、個々の第１のデータ処理装置の接続を取扱い及び／又は中継することが好ましい。
【００２２】
本発明の使用分野によっては、前置コンピュータが単数又は複数の第１のデータ処理装置のアドレス特性を、中継されるデータから自動的に取り出し、又は代案として所定のアドレスデータを単数又は複数の第１のデータ処理装置のイミテーションのために使用することが好ましい。また前置コンピュータが第１のデータ処理装置によって制御され、又は代案として前置コンピュータの機能が第１のデータ処理装置によって影響されないことが好ましい。
【００２３】
本発明のもう一つの利点は、まったく異なる端末機器のデータ交換をトランスペアレントに中継できることに認められる。例えば第１のデータ処理装置をＰＣ、ノートブック、埋込みコンピュータシステム又はハンドヘルドＰＣ例えばパームトップ又はパーソナル・デジタルアシスタント（ＰＤＡ）として、もしくは遠隔端末をＰＣ、ノートブック、埋込みコンピュータシステム、ハンドヘルドＰＣ例えばパームトップ又はパーソナル・デジタルアシスタント（ＰＤＡ）もしくは電話又は無線電話として構成することができる。その場合埋込みコンピュータシステムとしての本発明の使用は特に興味深い。これで既存の他の埋込みシステムの最適な補足が実現されるからである。例えば機械の制御、自動車技術、自動券売機又は家庭用機器で使用される埋込みシステムは、通常限られた機能範囲しか提供しないが、今や本発明に基づく前置コンピュータシステムによって必要な安全機能が追加されるのである。データ伝送のための接続として、必要に応じてケーブル接続、無線接続及び／又はデータ及び／又は通信ネット例えばイントラ又はインターネットを利用することができる。
【００２４】
本発明によれば、コンピュータ又は通信相手で変更を行わずに、コンピュータの通信を任意に制御することができる。例えばコンピュータシステムに変更がなければアシストが与えられないような安全機能を実現することができる。例えばＶＰＮ（仮想私設網、例えばＩＰＳｅｃ）はすべてのオペレーティングシステム又はコンピュータに利用できる訳でない。
【００２５】
次に、ホストコンピュータのネットワーク結合に導入され、ネットトラヒックを処理し、その際新しいデータパケットをトランスペアレントに挿入し、及び／又は連続するデータパケットを加工又は処理し、及び／又はデータパッケトを除去する補助コンピュータシステム（前置コンピュータシステム）について、本発明を説明する。その場合選択に応じて個々のパケット及び／又は接続もしくはすべてのパケット及び／又は接続を取り上げることができる。処理の選択と仕方は前置コンピュータシステムの規制によって決まる。例えば当該のパケット及び／又は接続をこの第２のコンピュータシステムに関してローカル・パケット及び／又は接続とみなし、かつ取扱うことによって、処理を行うことができる。その場合当該のホストコンピュータ及び通信相手にとって、導入されたコンピュータシステムはトランスペアレントである。
【００２６】
トランスペアレンシ
例えばルータと対照的にブリッジ・アンド・スイッチは、ネットワークにトランスペアレントに導入されるハードウエアである。この部品は、例えばデータパケットが必要とされるネットワーク部分にだけ送られるように、データトランスポートを制御するために利用される。これによってネットの負担が軽減される。さらにアドレス（ＭＡＣ、ＩＰ等）又は接続特性に基づくアクセス保護方法を実現することができる。パケットを通過させるときは、変更せずにトランスポートする。従ってブリッジ又はスイッチはトランスペアレントである。
【００２７】
ＶＰＮを構成する１つのやり方は、ＶＰＮ機能を持つルータを使用することである。ルータはネットワークを部分ネットに分割する。ルータを導入することによって（ＩＰ）アドレスの変更を行わなければならない。従ってルータはトランスペアレントでない。このためシステム管理に追加費用が生じる。
【００２８】
この問題は提案の新規な前置コンピュータシステムによって解決される。提案のコンピュータシステムはホストコンピュータのパケットを受け取り、例えばコーディングによってこれを処理する。次にデータパケットは前置コンピュータによって処理済の形で転送され、その際前置コンピュータはホストコンピュータのアドレスデータ、例えばＩＰアドレス及びＭＡＣアドレスをイミテートする。同様に入データパケットが処理され（例えばデコーディングされ）、ホストコンピュータに転送される。その際前置コンピュータは入接続のパラメータを受領する。アドレスをイミテートすることによって、他のネットワーク構成部分の再構成の必要がなくなる。関与する他のコンピュータにとって、このプロセスはトランスペアレントである。
【００２９】
この着想の範囲内で、ホストコンピュータからの又はホストコンピュータへの各パケットに、残りのネットワークのデータパケットが必ず対応するとは限らない。この場合補助パケットが生成され（例えば初期接続）又は除去されることもある。プロクシ技術の適用も可能である。
【００３０】
それぞれの必要に応じ又は前置コンピュータの使用分野に従って、前置コンピュータはイミテートした接続のためのアドレス情報をホストコンピュータのデータパケットから取り出し、及び／又はシステム管理者が設定する情報を使用することができる。
【００３１】
トランスペアレントな前置コンピュータの着想は、エンコーディングに応用できるだけでない。
【００３２】
所定の規則に基づき、前置コンピュータは例えばホストコンピュータからの又はホストコンピュータへの接続を阻止し、即ちファイアウオールとして機能することもできる。
【００３３】
また前置コンピュータは、ホストコンピュータにアドレス指定された接続を受けるように構成することができる。このようにしてホストコンピュータ自体がアシストしないサービスが実現される。例えばＳＮＭＰ（Simple Network Management Protocol）に基づいて、遠隔診断が可能な管理サービスを設置することができる。前置コンピュータは接続を受けて、ホストコンピュータがまったく又は同程度には提供しない（又は公式には提供しないことになっている）診断及び管理の可能性を自ら提供する。
【００３４】
また前置コンピュータの機能は、ホストコンピュータに関係なく、前置コンピュータ自体が例えば機器構成データを得るため、又はステータス信号を出力するために、接続を形成することにある。
【００３５】
さらに前置コンピュータが監視機能を引き受け、試みた又は形成された接続が中央局へ中継されるように構成することができる（例えば命令検出システムのために）。
【００３６】
データトラヒックのデータ／データパケットの処理
データトラヒックの中継はデータ又はデータパケットの処理を必要とすることがある。その場合データパケットの処理は、任意のパケットで可能である。例えばＤＳＬ接続（ＤＳＬ＝Digital Subscriber Line［デジタル加入者回線］）にはしばしばＰＰＰｏＥ接続（Point-to-Point Protocol over Ethernet（登録商標））が使用される。この場合ＩＰパケットはＰＰＰｏＥパケットの中に納められ、一方、ＰＰＰｏＥパケットはエサーネットパケットとしてトランスポートされる。前置コンピュータはこの場合例えばＰＰＰｏＥの覆いを取り除き、中に納められたパケットに処理規則（ファイアウオール、ＶＰＮ、ウイルス防護）を適用することができる。処理された（例えばエンコードされた）パケットは再びＰＰＰｏＥの覆いで包み、引続きトランスポートすることができる。
【００３７】
複数のホストコンピュータのための前置コンピュータの使用
本発明に基づくコンピュータシステムの別の重要な使用は、例えば複数のホストコンピュータの接続を取扱うように、前置コンピュータを実現することである。すべてのホストコンピュータのために補助機能、例えばＶＰＮを提供することができる。その場合前置コンピュータはそれぞれホストコンピュータのアドレス特性をイミテートする。残りのネットワークにとって、各ホストコンピュータが他のホストコンピュータと無関係であるかのように見える。
【００３８】
独自のアドレス指定の可能性
本発明の別の可能な実施形態は、前置コンピュータが独自のアドレスを有するように実現することができる。その場合ホストコンピュータから独立の前置コンピュータを得ることができる。これによって、例えばホストコンピュータのトランスペアレント接続の取扱いに関して前置コンピュータが持つ性質を調整するために、前置コンピュータを操作し、管理することができる。
【００３９】
インプリメンテーション
前置コンピュータはプロセッサ、プログラム及びデータ記憶装置並びにデータ通信のためのインタフェースを備えた独立のコンピュータである。前置コンピュータは、ホストコンピュータから自動的に制御することができるように構成されている。しかし特に安全指向バージョンでは、前置コンピュータはホストコンピュータから完全に独立に動作する。
【００４０】
インタフェース
その場合前置コンピュータが操作するインタフェースは特にエサーネット・インタフェースであるが、直列インタフェース、バスシステム、例えばＰＣＩ、ＰＣＭＣＩＡ等であることも可能である。前置コンピュータは、ネットワークデータがトランスポートされるすべての場所に取付けることができる。このようにして前置コンピュータは独立のデバイスとしても、他のコンピュータに取付けるためのユニット又はチップとしても、実現することができる。
【００４１】
本発明に基づく前置コンピュータシステムを最小化するために、例えば移動ホストコンピュータの要求に適応させるために、前置コンピュータを例えば「埋込みシステム」、シングルボード・コンピュータ又はチップ型解決策として実現することができる。特殊な実施形態は、例えば前置コンピュータを特殊なネットワークマップの形でホストコンピュータに実装する。別の実施形態は前置コンピュータをエサーネット接続に導入し、さらに別の実施形態は前置コンピュータをモデムに取付け、別の実施形態は前置コンピュータをネットワーク接続ケーブルに組み込む。
【００４２】
本発明はここに示した実施例に限定されない。むしろ上記の手段及びその他の実施形態の特徴を組合せ及び改良することによって、本発明の範囲を逸脱せずに実現することが可能である。